(57)【要約】【課題】複数種類の文の音声出力の臨場感を高める。【解決手段】テキスト文書から音声信号を生成する音声信号合成部３３と、音声信号合成部３３で生成された音声信号を音声として出力するためのスピーカ１７及びその駆動回路１８と、テキスト文書の長さを把握する把握部３１と、把握部３１で把握されたテキスト文書の長さに応じて、音声信号合成部３３に、抑揚を変えた音声信号を生成させる合成制御部３２と、を備えている。【選択図】  図１
2004226711.tif 000002
【特許請求の範囲】
【請求項１】
テキスト文書を音声に変換して、該音声を出力する音声出力装置において、
前記テキスト文書から音声信号を生成する音声信号合成手段と、
前記音声信号合成手段で生成された前記音声信号を音声として出力する出力手段と、
前記テキスト文書の内容又は長さを把握する把握手段と、
前記音声信号合成手段が前記テキスト文書から前記音声信号を生成する際、前記把握手段で把握された前記テキスト文書の内容又は長さに応じて、前記音声信号合成手段に、少なくとも抑揚を含む音質を変えた音声信号を生成させる合成制御手段と、
を備えていることを特徴とする音声出力装置。
【請求項２】
どのような音声を出力すべきであるかの状況に応じて、対応テキスト文書を音声に変換して、該音声を出力するナビゲーション装置において、
前記テキスト文書から音声信号を生成する音声信号合成手段と、
前記音声信号合成手段で生成された前記音声信号を音声として出力する出力手段と、
前記状況を把握する把握手段と、
前記音声信号合成手段が前記テキスト文書から前記音声信号を生成する際、前記把握手段で把握された前記状況に応じて、前記音声信号合成手段に、抑揚、音量、速度、キーの少なくともいずれか一つを含む音質を変えた音声信号を生成させる合成制御手段と、
を備えていることを特徴とするナビゲーション装置。
【請求項３】
請求項２に記載のナビゲーション装置において、
前記把握手段は、少なくとも、ロードガイダンスを出力すべき状況と装置の操作ガイダンスを出力すべき状況とを把握する、
ことを特徴とするナビゲーション装置。
【請求項４】
請求項３に記載のナビゲーション装置において、
ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）情報を受信するＶＩＣＳ情報受信手段を備え、
前記把握手段は、前記ＶＩＣＳ情報の出力すべき状況をさらに把握する、
ことを特徴とするナビゲーション装置。
【請求項５】
請求項３及び４のいずれか一項に記載のナビゲーション装置において、
インターネットワークを経由したネットワーク情報を受信するネットワーク情報受信手段を備え、
前記把握手段は、前記ネットワーク情報の出力すべき状況をさらに把握する、
ことを特徴とするナビゲーション装置。
【発明の詳細な説明】
【０００１】
【発明の属する技術分野】
本発明は、テキスト文書を音声に変換して、この音声を出力する音声出力装置、及びナビゲーション装置に関する。
【０００２】
【従来の技術】
従来の音声出力装置としては、例えば、以下の特許文献１に記載されているものがある。
【０００３】
この音声出力装置は、テキスト文書を音声に変換する際、そのテキスト文書の作成者の出身地等に応じて、音声の高低や速度を変えて、受聴者に臨場感を与えようというものである。
【０００４】
【特許文献１】
特開２００２−１０８３７８号
【０００５】
【発明が解決しようとする課題】
しかしながら、従来技術では、例えば、音声出力装置がナビゲーション装置である場合、ロードガイダンスであっても、インターネットワークを介して得られた電子メール等であっても、文書作成者の出身地等を認識できないため、同じ抑揚、同じ速度等で音声出力されてしまう。このため、例えば、受聴者が電子メールを聞いている際に、ロードガイダンスが割り込んできても、このロードガイダンスを聞き逃してしまう虞があるという問題点がある。
【０００６】
本発明は、このような従来技術の問題点に着目し、文書作成者の出身地等を認識できる物語等以外の複数種類の文書があっても、受聴者に臨場感を与えることができ、たとえ、文書が他の種類の文書に切り替わっても、受聴者に気付き易くさせることができる音声出力装置及びナビゲーション装置を提供することを目的とする。
【０００７】
【課題を解決するための手段】
前記目的を達成するための音声出力装置は、
テキスト文書から音声信号を生成する音声信号合成手段と、
前記音声信号合成手段で生成された前記音声信号を音声として出力する出力手段と、
前記テキスト文書の内容又は長さを把握する把握手段と、
前記音声信号合成手段が前記テキスト文書から前記音声信号を生成する際、前記把握手段で把握された前記テキスト文書の内容又は長さに応じて、前記音声信号合成手段に、少なくとも抑揚を含む音質を変えた音声信号を生成させる合成制御手段と、
を備えていることを特徴とするものである。
【０００８】
また、前記目的を達成するためのナビゲーション装置は、
テキスト文書から音声信号を生成する音声信号合成手段と、
前記音声信号合成手段で生成された前記音声信号を音声として出力する出力手段と、
どのような音声を出力すべきであるかの状況を把握する把握手段と、
前記音声信号合成手段が前記テキスト文書から前記音声信号を生成する際、前記把握手段で把握された前記状況に応じて、前記音声信号合成手段に、抑揚、音量、速度、キーの少なくともいずれか一つを含む音質を変えた音声信号を生成させる合成制御手段と、
を備えていることを特徴とするものである。
【０００９】
ここで、前記把握手段は、少なくとも、ロードガイダンスを出力すべき状況と装置の操作ガイダンスを出力すべき状況とを把握し、さらに好ましくは、ＶＩＣＳ情報の出力すべき状況、インターネットワークを経由したネットワーク情報を出力すべき状況を把握する。
【００１０】
【発明の実施の形態】
以下、本発明に係る各種実施形態について、図面を用いて説明する。
【００１１】
まず、図１及び図２を用いて、本発明に係る音声出力装置としてのナビゲーション装置について説明する。
【００１２】
本実施形態のナビゲーション装置１０は、図１に示すように、ＧＰＳ（ＧｌｏｂａｌＰｏｓｉｔｉｏｎｉｎｇ  Ｓｙｓｔｅｍ）衛星からの信号を受信するＧＰＳセンサ１１と、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）情報を受信するＶＩＣＳ情報センサ（ＶＩＣＳ情報受信手段）１２と、地図情報が記憶されているＤＶＤ１を再生するＤＶＤ装置１３と、携帯電話２との間でデータを送受信するための通信インタフェース（ネットワーク情報受信手段）１４と、表示パネル１５と、この表示パネル１５を駆動するための駆動回路１６と、スピーカ１７と、このスピーカ１７を駆動するための駆動回路１８と、各種入力操作をするための操作端１９と、を備えている。
【００１３】
さらに、このナビゲーション装置１０は、操作端１９の操作により入力された目的地とＧＰＳセンサ１１から得られた現在地とから予定ルート及びガイドポイントを決定するルート決定部２１と、ＧＰＳセンサ１１から得られた現在地がガイドポイントであるか否かを判断するガイドポイント検出部２２と、ＶＩＣＳ情報センサ１２で得られたＶＩＣＳ情報とインターネットを介して携帯電話２から得られたニュースや電子メール等のネット情報が記憶される第一テキスト記憶部２３と、ロードガイダンスや装置の操作ガイダンス等の予め定められたガイダンスが記憶されている第二テキスト記憶部２６と、表示パネル１５の表示出力を制御する表示制御部２９と、スピーカ１７の音声出力を制御する音声制御部３０と、を備えている。
【００１４】
第一テキスト記憶部２３には、ＶＩＣＳ情報テキストが記憶されるＶＩＣＳ情報テキスト記憶部２４と、ネット情報が記憶されるネット情報テキスト記憶部２５とがある。また、第二テキスト記憶部２６には、ロードガイダンステキストが予め記憶されているロードガイダンステキスト記憶部２７と、装置の操作ガイダンステキストが予め記憶されている操作ガイダンステキスト記憶部２８とがある。
【００１５】
音声制御部３０は、ガイドポイント検出部２２や操作端１９からの信号に応じて、どのテキストを音声出力すべき状況であるかを把握し、対応するテキストを記憶部２３，２６から取り出して、そのテキストの長さを把握する把握部３１と、テキストを音声信号に変換する音声信号合成部３３と、この音声信号合成部３３による音声信号の生成を制御する合成制御部３２と、を有している。
【００１６】
なお、本実施形態では、地図情報を再生するものとして、ＤＶＤ装置１３を用いているが、地図情報が記憶されている記憶媒体がＣＤやＩＣカード等、その他の記憶媒体であれば、これらの記憶媒体に併せた再生装置、つまりＣＤ装置やＩＣカードリーダー等を用いることは言うまでもない。
【００１７】
次に、このナビゲーション装置の動作について説明する。
【００１８】
ルート決定部２１は、操作端１９の操作により入力された目的地とＧＰＳセンサ１１から得られた現在地とから予定ルートを決定すると共に、予定ルート中でロードガイダンスすべきガイドポイントも決定する。表示制御部２９は、操作端１９の操作に応じて、ルート決定部２１から予定ルートを取得し、これを表示パネル１５に表示させる。また、表示制御部２９は、ＤＶＤ装置１３が再生したＤＶＤ１の地図情報と、ＧＰＳセンサ１１で得られた現在地とから、この現在地の周辺地図及びこの周辺地図中における予定ルートを表示パネル１５に表示させる。
【００１９】
ガイドポイント検出部２２は、ルート決定部２１で決定された複数のガイドポイントのうちのいずらかがＧＰＳセンサ１１が示す現在地になったことを検出すると、その旨を表示制御部２９及び音声制御部３０に通知する。表示制御部２９は、その旨の通知を受け取ると、このガイドポイントで表示すべき予め定められた画像を表示パネル１５に表示させる。この際、表示パネル１５に表示させる画像としては、例えば、ガイドポイントが右折予定の交差点から４００ｍ手前の場合には、その交差点の詳細図及びこの詳細図中における予定ルート等である。また、音声制御部３０は、その旨の通知を受け取ると、ロードガイダンステキスト記憶部２７に記憶されているロードガイダンステキストのうちから、この通知に対応したロードガイダンステキストを読み出して、このロードガイダンステキストを音声信号に変換し、スピーカ１７から出力させる。
【００２０】
ＶＩＣＳ情報センサ１２がＶＩＣＳ情報を受信すると、その旨が表示制御部２９及び音声制御部３０に通知されると共に、第一テキスト記憶部２３のＶＩＣＳ情報テキスト記憶部２４に記憶される。表示制御部２９は、その旨の通知を受け取ると、ＶＩＣＳ情報テキスト記憶部２４に記憶されたＶＩＣＳ情報テキストを読み出して、表示パネル１５に表示させる。また、音声制御部３０は、その旨の通知を受け取ると、ＶＩＣＳ情報テキスト記憶部２４に記憶されたＶＩＣＳ情報テキストを読み出して、このＶＩＣＳ情報テキストを音声信号に変換し、スピーカ１７から出力させる。
【００２１】
通信インタフェース１４が携帯電話２から電子メール又はニュース等のネット情報を受け付けると、このネット情報がネット情報テキスト記憶部２５に記憶される。音声制御部３０は、操作端１９の操作によるネット情報又は操作ガイダンスの音声出力通知を受信すると、ネット情報テキスト記憶部２５に記憶されているネット情報テキスト又は操作ガイダンステキスト記憶部２８に記憶されている操作ガイダンステキストのうちから、この通知に対応したネット情報テキスト又は操作ガイダンステキストを読み出して、このネット情報テキスト又は操作ガイダンステキストを音声信号に変換し、スピーカ１７から出力させる。
【００２２】
次に、音声制御部３０の詳細な動作について、図２に示すフローチャートに従って説明する。
【００２３】
まず、音声制御部３０の把握部３１が音声出力する状況であるか否かを判断する（ステップ１）。この判断は、ガイドポイント検出部２２やＶＩＣＳ情報センサ１２からの信号や、操作端１９の操作による何らかの音声出力を指示する信号が入力したか否かで判断される。把握部３１は、ガイドポイント検出部２２等からの信号を受信して、音声出力する状況であると判断すると、この信号からどのような音声出力を行う状況であるかを把握する（ステップ２〜５）。具体的には、ＶＩＣＳ情報を音声出力すべき状況であるか否か（ステップ２）、ネット情報を音声出力すべき状況であるか否か（ステップ３）、ロードガイダンスを音声出力すべき状況であるか否か（ステップ４）、操作ガイダンスを音声出力すべき状況であるか否か（ステップ５）、を把握する。
【００２４】
把握部３１は、続いて、ステップ２〜５で把握した状況に応じたテキストを記憶部２３，２４から読み出し（ステップ６〜９）、このテキストの長さを把握して、予め定められた長さ以内か否かを判断し、このテキストと共にこの判断結果を合成制御部３２に渡す（ステップ１０）。なお、ここでは、テキストの予め定めた長さとして、１００バイト程度にしている。このように、テキストの予め定めた長さを１００バイトにすると、ロードガイダンステキストや操作ガイダンステキストは、ほとんど短いテキストとして扱われる。また、ＶＩＣＳ情報テキストやネット情報テキストは、ほとんど長いテキストとして扱われる。
【００２５】
合成制御部３２は、渡されたテキストが予め定められた長さ以内、つまりテキストが短い場合には、音声の抑揚を定める抑揚パラメータを予め定めた大きい値に設定して、この抑揚パラメータをテキストと共に音声信号合成部３３に渡す（ステップ１１）。また、渡されたテキストが長い場合には、抑揚パラメータを予め定めた小さい値に設定して、この抑揚パラメータをテキストと共に音声信号合成部３３に渡す（ステップ１２）。
【００２６】
音声信号合成部３３は、合成制御部３２から渡されたテキストを音声信号に変換する。この際、合成制御部３２から渡された抑揚パラメータを用いて、音声信号を生成する（ステップ１３）。なお、ここでは、抑揚パラメータとして小さい値が設定されると、抑揚が抑えられ、抑揚パラメータとして大きな値を設定すると、抑揚が強くなる。従って、短い文で構成されているロードガイダンスや操作ガイダンスは、抑揚が強くなり、比較的長い文で構成されているＶＩＣＳ情報やネット情報は、抑揚が抑えられる。音声信号合成部３３は、生成した音声信号を駆動回路１８に出力し、スピーカ１７から音声を出力させる（ステップ１４）。
【００２７】
以上、本実施形態では、テキストの長さに応じて音声の抑揚を変えているので、文書作成者の出身地等を認識できる物語等以外の複数の文書があっても、受聴者に臨場感を与えることができる。しかも、ロードガイダンスや操作ガイダンスは、抑揚が強くなるので、運転者に重要な情報を出力していることを喚起することができる。
【００２８】
なお、以上の実施形態では、テキストの長さに応じて、音声の抑揚のみを変えているが、抑揚以外の音声の速度や音量やキーを併せて変えるようにしてもよい。また、ここでは、テキストの長さを把握しているが、テキストの内容を把握し、この内容に応じて、音声の抑揚等を変えるようにしてもよい。なお、テキストの内容は、各記億部２３，２６からテキストを読み出す際、そのヘッダ部分を参照すれば、そのテキストがロードガイダンスであるかネット情報であるか等の内容を把握することができる。
【００２９】
次に、図３及び図４を用いて、本発明に係る第二の実施形態としてのナビゲーション装置について説明する。
【００３０】
本実施形態のナビゲーション装置は、基本的に、図１を用いて前述した第一の実施形態におけるナビゲーション装置の構成と同じである。但し、本実施形態のナビゲーション装置は、音声制御部３０の把握部３１及び合成制御部３２の動作が第一の実施形態と異なる。
【００３１】
そこで、以下では、本実施形態の音声制御部３０の動作についてのみ、図３を用いて説明する。
【００３２】
まず、第一の実施形態と同様に、音声制御部３０の把握部３１がガイドポイント検出部２２等からの信号の有無に応じて、音声出力する状況であるか否かを判断する（ステップ１）。そして、把握部３１は、ガイドポイント検出部２２等からの信号に基づいて、どのような音声出力を行う状況であるかを把握する（ステップ２〜５）。すなわち、前述したように、ＶＩＣＳ情報を音声出力すべき状況であるか否か（ステップ２）、ネット情報を音声出力すべき状況であるか否か（ステップ３）、ロードガイダンスを音声出力すべき状況であるか否か（ステップ４）、操作ガイダンスを音声出力すべき状況であるか否か（ステップ５）、を把握する。
【００３３】
把握部３１は、続いて、ステップ２〜５で把握した状況に応じたテキストを記憶部２３，２４から読み出し（ステップ６〜９）、このテキストと共に先に把握した状況を合成制御部３２に渡す。
【００３４】
合成制御部３２は、把握部３１から渡されたどのような音声出力をすべき状況であるかに応じて、音声の抑揚パラメータ、速度パラメータ、音量パラメータ、キーパラメータを設定して、このパラメータをテキストと共に音声信号合成部３３に渡す（ステップ２０〜２３）。各パラメータに関して、具体的には、図４に示すように、ＶＩＣＳ情報に対しては、抑揚が小さく、速度及び音量が中くらいで、キーが高くなるよう、各パラメータが設定され（ステップ２０）、ネット情報に対しては、抑揚が小さく、速度が速く、音量が小さく、キーが高くなるよう、各パラメータが設定される（ステップ２１）。また、ロードガイダンスに対しては、抑揚が大きく、速度が遅く、音量が大きく、キーが低くなるよう、各パラメータが設定され（ステップ２２）、操作ガイダンスに対しては、抑揚が大きく、速度が遅く、音量が大きく、キーが中くらいになるよう、各パラメータが設定される（ステップ２３）。なお、各パラメータの設定内容は、以上で例示したものに限定されるものではない。また、各パラメータの設定内容は、運転者、つまり受聴者が女性であるか男性であるか、又は若年層であるか老年層であるかによっても好みが分かれるので、運転者個人が操作端１９の操作で自由に設定できるようにしてもよい。
【００３５】
音声信号合成部３３は、合成制御部３２から渡されたテキストを音声信号に変換する。この際、合成制御部３２から渡された各パラメータを用いて、音声信号を生成する（ステップ１３）。そして、生成した音声信号を駆動回路１８に出力し、スピーカ１７から音声を出力させる（ステップ１４）。
【００３６】
以上のように、本実施形態では、どのような音声を出力すべきであるかの状況に応じて、抑揚や速度等を変えることができる。
【００３７】
【発明の効果】
本発明によれば、文書作成者の出身地等を認識できる物語等以外の複数の文書があっても、テキスト文書の長さや内容、又はどのような音声出力をすべき状況であるかに応じて、音声の抑揚等を変えているので、受聴者に臨場感を与えることができ上に、文書が他の文書に切り替わっても、受聴者に気付き易くさせることができる。
【図面の簡単な説明】
【図１】本発明に係る第一の実施形態におけるナビゲーション装置の機能ブロック図である。
【図２】本発明に係る第一の実施形態における音声制御部の動作を示すフローチャートである。
【図３】本発明に係る第二の実施形態における音声制御部の動作を示すフローチャートである。
【図４】本発明に係る第二の実施形態における各種状況毎のパラメータ設定内容を示す説明図である。
【符号の説明】
１０…ナビゲーション装置、１５…表示パネル、１７…スピーカ、２２…ガイドポイント検出部、２３…第一テキスト記憶部、２４…ＶＩＣＳ情報テキスト記憶部、２５…ネット情報テキスト記憶部、２６…第二テキスト記憶部、２７…ロードガイダンステキスト記憶部、２８…操作ガイダンステキスト記憶部、２９…表示制御部、３０…音声制御部、３１…把握部、３２…合成制御部、３３…音声信号合成部。
【図１】
2004226711.tif 000003
【図２】
2004226711.tif 000004
【図３】
2004226711.tif 000005
【図４】
2004226711.tif 000006